(57)【要約】【課題】キー環に他の部品を収納する切欠きを設けた場合において、鏡筒内における散乱光が切欠きから侵入することを防止する。【解決手段】前群レンズ枠４０と、後群レンズ枠５０と、前群レンズ枠及び後群レンズ枠をそれぞれ光軸方向に移動自在にかつ周方向の回転を規制して保持するキー環３０と、前群レンズ枠及び後群レンズ枠に係合するカム溝を有し、キー環３０に対して周方向に回転することで前群レンズ枠及び後群レンズ枠を光軸方向に移動させるカム筒２０とを備える鏡筒である。キー環３０には他の部品を収納する切欠き３２が設けられ、後群レンズ枠の前端には、後群レンズ枠が切欠き３２の前端よりも後方に配置されるときに切欠き３２の前端と後群レンズ枠の前端との間の開口を閉塞する遮光部材５４が設けられているので、鏡筒内における散乱光がキー環３０の外部から侵入するのを防止することができる。【選択図】図１
2006047453.tif 000002
【特許請求の範囲】
【請求項１】
前群レンズ枠と、後群レンズ枠と、前群レンズ枠及び後群レンズ枠をそれぞれ光軸方向に移動自在にかつ周方向の回転を規制して保持するキー環と、前群レンズ枠及び後群レンズ枠に係合するカム溝を有し、キー環に対して周方向に回転することで前群レンズ枠及び後群レンズ枠を光軸方向に移動させるカム筒とを備える鏡筒において、キー環には他の部品を収納する切欠きが設けられ、後群レンズ枠の前端には、後群レンズ枠が切欠きの前端よりも後方に配置されるときに切欠きの前端と後群レンズ枠の前端との間の開口を閉塞する遮光部材が設けられていることを特徴とする鏡筒。
【請求項２】
前記遮光部材は、付勢バネにより前方へ付勢されており、前群レンズ枠と後群レンズ枠とが離間している場合は後群レンズ枠の前端よりも前方へ繰り出されるとともに、前群レンズ枠と後群レンズ枠とが近接している場合は前群レンズ枠により後方へ押圧されて後群レンズ枠の外周部に収納されることを特徴とする請求項１に記載の鏡筒。
【発明の詳細な説明】
【技術分野】
【０００１】
本発明は、カメラ等の鏡筒に関する。
【背景技術】
【０００２】
カメラ等の鏡筒としては、例えば、カム筒と、キー環と、一群レンズ枠と、二群レンズ枠とを備えたものが知られている（例えば特許文献１参照）。
【０００３】
カム筒の内部には一群レンズ枠が配置されている。カム筒の内周部には一群レンズ枠用、二群レンズ枠用のカム溝がそれぞれ設けられている。
キー環の外周部には直進溝と、内周面から外周面まで貫通したキー溝が光軸方向に設けられている。キー環は直進溝及びキー溝により、一群レンズ枠及び二群レンズ枠を光軸方向に移動自在とするとともに、径方向の回転を規制している。
【０００４】
一群レンズ枠はカム筒とキー環との間に配置されている。一群レンズ枠の外周面には一群レンズ枠用のカム溝に係合するコマが設けられている。また、一群レンズ枠の内周面には直進溝と係合する突起が設けられている。
【０００５】
二群レンズ枠はキー環の内部に配置されている。二群レンズ枠には、外周部に突出したコマが設けられている。二群レンズ枠のコマはキー溝を挿通してカム筒に設けられた二群レンズ枠用のカム溝に係合している。
【０００６】
カム筒をキー環に対し径方向に回転させると、一群レンズ枠及び二群レンズ枠に設けられたコマはカム溝に沿って、かつ光軸方向に移動する。これにより、一群レンズ枠及び二群レンズ枠は、広角撮影の状態から望遠撮影の状態まで移動する。
【特許文献１】特開２０００−３２９９８８号公報
【発明の開示】
【発明が解決しようとする課題】
【０００７】
ところで、従来、装置を小型化するために、駆動モーターやフレキシブルプリント基板（以下、ＦＰＣ）等を鏡筒内に内蔵していたが、現在ではさらなる小型化が求められており、鏡筒径を小さくする過程で、部材の厚みを駆動モーター、ＦＰＣ等の収納に使用せざるを得なくなっている。これに対し、例えば、キー環の後部に切欠きを設け、駆動モーターを切欠き部分に収納するなどの方法が提案されている。
【０００８】
この場合、切欠き部分の遮光が問題となるが、駆動モーターがキー環の切欠き部分に収納された状態では、二群レンズ枠の前部に配置されたシャッターユニットがキー環の前方に配置されるため、一群レンズ枠と、シャッターユニットとが近接し、遮光が問題とならない。
【０００９】
しかし、ズーム撮影時には、キー環及びカム筒が前進し、一群レンズ枠が前進するとともに、キー環に対して二群レンズ枠が後退し、一群レンズ枠と、シャッターユニットとが離間する。そして、図６に示すように、シャッターユニット５２がキー環３０の切欠き３２の前端よりも後退すると、切欠き３２のシャッターユニット５２よりも前側の部分が開口となる。このため、前方からの光がカム筒の内周面に反射し、開口部分から二群レンズ枠内に入り、撮影の妨げとなるという問題があった。
【００１０】
本発明の課題は、キー環に他の部品を収納する切欠きを設けた場合において、鏡筒内における散乱光が切欠きから侵入するのを防止することである。
【課題を解決するための手段】
【００１１】
以上の課題を解決するため、請求項１に記載の発明は、図１に示すように、前群レンズ枠（一群レンズ枠４０）と、後群レンズ枠（二群レンズ枠５０）と、前群レンズ枠及び後群レンズ枠をそれぞれ光軸方向に移動自在にかつ周方向の回転を規制して保持するキー環３０と、前群レンズ枠及び後群レンズ枠に係合するカム溝を有し、キー環３０に対して周方向に回転することで前群レンズ枠及び後群レンズ枠を光軸方向に移動させるカム筒２０とを備える鏡筒において、キー環３０には他の部品を収納する切欠き３２が設けられ、後群レンズ枠の前端には、後群レンズ枠が切欠き３２の前端よりも後方に配置されるときに切欠き３２の前端と後群レンズ枠の前端との間の開口を閉塞する遮光部材５４が設けられていることを特徴とする。
【００１２】
ここで、他の部品としては、例えば駆動モーター６１やフレキシブルプリント基板等が挙げられる。請求項１に記載の発明によれば、キー環３０に切欠き３２を設け、切欠き３２に他の部品を収納した場合においても、切欠き３２の前端と後群レンズ枠の前端との間の開口を遮光部材５４により閉塞し、鏡筒内における散乱光がキー環３０の切欠き３２から侵入することを防止することができる。
【００１３】
請求項２に記載の発明は、請求項１に記載の鏡筒であって、前記遮光部材５４は、付勢バネ５６により前方へ付勢されており、前群レンズ枠と後群レンズ枠とが離間している場合は遮光部材５４が後群レンズ枠の前端よりも前方へ繰り出されるとともに、前群レンズ枠と後群レンズ枠とが近接している場合は前群レンズ枠により後方へ押圧されて後群レンズ枠の外周部に収納されることを特徴とする。
【００１４】
請求項２に記載の発明によれば、前群レンズ枠と後群レンズ枠とが離間している場合に遮光部材５４が後群レンズ枠の前端よりも前方へ繰り出されるとともに、前群レンズ枠と後群レンズ枠とが近接している場合は前群レンズ枠により後方へ押圧されて後群レンズ枠の外周部に収納されるので、前群レンズ枠及び後群レンズ枠の光軸方向の長さを短縮することができる。
【発明の効果】
【００１５】
本発明によれば、キー環に切欠きを設け、キー環の厚みを利用して駆動モーターやフレキシブルプリント基板等を収納可能とした場合においても、切欠きの前端と後群レンズ枠の前端との間の開口を遮光部材により閉塞し、鏡筒内における散乱光がキー環の切欠きから侵入することを防止することができる。
【発明を実施するための最良の形態】
【００１６】
以下、本発明の実施の形態について詳細に説明する。本発明の鏡筒は、図１に示すように、固定筒１０と、カム筒２０と、キー環３０と、一群レンズ枠４０と、二群レンズ枠５０と、三群レンズ枠６０とを備える。
【００１７】
固定筒１０は、カメラ等の装置本体に固定される。固定筒１０の内周面には、カム筒２０の外周面に設けられたコマと係合する図示しないカム筒用カム溝と、キー環３０の外周部に設けられた突起３１と係合する図示しないキー環用直進溝とが設けられている。また、固定筒１０の後端には、三群レンズ枠６０が固定されている。
【００１８】
カム筒２０は固定筒１０の内側に配置されている。カム筒２０の外周面にはカム筒用カム溝と係合するコマ２１が設けられている。また、カム筒２０の外周の後端部には、ギア部２２が設けられている。ギア部２２には、図示しないモーターと連動する図示しないギアが噛み合わされている。モーターを駆動することによってカム筒２０が径方向に回転する。カム筒２０を回転させると、カム筒２０はカム筒用カム溝に沿って回転しながら光軸方向に移動する。
【００１９】
また、カム筒２０の内周面には、一群レンズ枠４０の外周部に設けられたコマ４１と係合する図示しない一群レンズ用カム溝と、二群レンズ枠５０の外周部に設けられたコマ５１と係合する図示しない二群レンズ用カム溝とがそれぞれ設けられている。
【００２０】
キー環３０は、一群レンズ枠４０よりも内側かつ二群レンズ枠５０よりも外側に配置される。キー環３０の外周部には、固定筒１０のキー環用直進溝と係合する突起３１が設けられている。キー環３０はキー環用直進溝によって径方向の動きを制限されながら、カム筒２０とともに光軸方向に移動する。
【００２１】
キー環３０には、一群レンズ枠４０の内周面に設けられた図示しない突起が係合する一群レンズ用直進溝３３と、二群レンズ枠５０の外周部に設けられたコマ５１が挿通するキー溝３４とが設けられている。キー環３０は、一群レンズ用直進溝３３及びキー溝３４により、一群レンズ枠４０及び二群レンズ枠５０の径方向の回転を妨げる。
また、キー環３０には、キー環３０の後端から光軸方向に切欠き３２が設けられている。切欠き３２の位置には、後述する駆動モーター６１が後方から収納される。
【００２２】
一群レンズ枠４０は一群レンズを保持している。一群レンズ枠４０の内周面には、一群レンズ用直進溝３３に係合する図示しない突起が設けられている。また、一群レンズ枠４０の外周面には、一群レンズ用カム溝と係合するコマ４１が設けられている。
【００２３】
二群レンズ枠５０は二群レンズを保持している。二群レンズ枠５０の外周部には、キー環３０のキー溝３４に挿通するとともに二群レンズ用カム溝と係合するコマ５１が設けられている。
二群レンズ枠５０の前部には、シャッターユニット５２が設けられている。シャッターユニット５２は二群レンズ枠５０とともに光軸方向に移動する。
【００２４】
シャッターユニット５２の前端の外周部には、遮光部材５４が設けられている。遮光部材５４は、図２に示すように、シャッターユニット５２に沿った断面略円弧状の形状をしている。遮光部材５４には、後方に突出した取付軸５５が設けられている。
また、シャッターユニット５２の外周部には取付軸５５が挿入される軸受５３が設けられている。
【００２５】
取付軸５５の外周部には、遮光部材５４の本体と軸受５３との間に付勢バネ５６が配置されている。付勢バネ５６は、遮光部材５４を前方へ付勢している。
取付軸５５の後端には、ストッパー５７が設けられている。ストッパー５７は、付勢バネ５６により前方へ付勢されている遮光部材５４の取付軸５５が軸受５３から抜け落ちることを防止している。
【００２６】
遮光部材５４は、一群レンズ枠４０と二群レンズ枠５０とが近接している場合には、一群レンズ枠４０から後方へ押圧されており、図２に示すように、シャッターユニット５２の前端の外周部に沿って収納されている。一群レンズ枠４０と二群レンズ枠５０とが離間している場合には、遮光部材５４は、図３に示すように、付勢バネ５６により前方へ繰り出される。
【００２７】
二群レンズ枠５０の後方には、三群レンズ枠６０が設けられている。三群レンズ枠６０は、三群レンズを保持しており、固定枠とともに、カメラ等の装置本体に固定されている。三群レンズ枠６０には、三群レンズを光軸方向に移動する駆動モーター６１が設けられている。駆動モーター６１はキー環３０の切欠き３２の位置に収納される。駆動モーター６１は三群レンズを光軸方向に移動させて焦点調節を行う。
【００２８】
次に、本発明の鏡筒による変倍操作について説明する。図４はキー環３０の内部に収納されたシャッターユニット５２を示す斜視図である。なお、二群レンズ枠５０は省略している。広角撮影をする時には、二群レンズ枠５０はキー環３０に対して後方へ下げられ、シャッターユニット５２の前端は、図４に示すように、キー環３０の切欠き３２の前端よりも後方に下げられている。このとき、一群レンズ枠４０と二群レンズ枠５０とが離間しており、遮光部材５４は後方へ押圧されていないため、付勢バネ５６に付勢されて前方へ繰り出される。前方に繰り出された遮光部材５４は、切欠き３２のシャッターユニット５２よりも前側の部分を閉塞する。
【００２９】
一方、ズーム動作をすると、二群レンズ枠５０が前進し、図５に示すように、シャッターユニット５２が切欠き３２よりも前に配置される。このとき、シャッターユニット５２は一群レンズ枠４０に近接し、遮光部材５４が一群レンズ枠４０により後方に押圧され、遮光部材５４が切欠き３２の前部に位置する。このため、遮光部材５４により、前方からの光が切欠き３２へ侵入することを防ぐことができる。
なお、図示しないが、望遠撮影の状態では、二群レンズ枠５０は図５よりもさらに前方へ繰り出される。
【００３０】
このように、本発明によれば、キー環３０に切欠き３２を設け、キー環３０の厚みを利用して駆動モーター６１を収納可能としているので、鏡筒径を小さくすることができる。この場合においても、切欠き３２の前端と二群レンズ枠５０の前端との間の開口を遮光部材５４により閉塞することで、前方からの光がカム筒２０の内周面で反射し、開口から侵入するのを防止することができる。
【００３１】
また、この遮光部材５４は、付勢バネ５６により前方へ繰り出されるとともに、一群レンズ枠４０により後方に押圧されて二群レンズ枠５０の外周部に収納されるので、二群レンズ枠５０の光軸方向の長さを短縮することができる。
【００３２】
なお、以上の実施の形態においては、二群レンズ枠５０の前部にシャッターユニット５２を設け、シャッターユニット５２の前部に遮光部材５４を設けたが、本発明はこれに限らず、例えばシャッターユニット５２を他の位置に設け、二群レンズ枠５０の前部に直接、遮光部材５４を設けてもよい。
【００３３】
また、遮光部材５４を取付軸５５により取り付け、付勢バネ５６により前方に付勢したが、取付軸５５や付勢バネ５６以外の構造によって遮光部材５４を前方に付勢してもよい。また、切欠き３２及び遮光部材５４の形状等、その他具体的な細部構造等についても適宜変更可能であることはもちろんである。
【図面の簡単な説明】
【００３４】
【図１】本発明の鏡筒の全体構造を示す斜視図である。
【図２】本発明の鏡筒の要部を示す斜視図である。
【図３】本発明の鏡筒の要部を示す斜視図である。
【図４】本発明の鏡筒の要部を示す斜視図である。
【図５】本発明の鏡筒の要部を示す斜視図である。
【図６】従来の鏡筒の要部を示す斜視図である。
【符号の説明】
【００３５】
２０   カム筒
３０   キー環
４０   一群レンズ枠
５０   二群レンズ枠
５４   遮光部材
５６   付勢バネ
６１   駆動モーター
【図１】
2006047453.tif 000003
【図２】
2006047453.tif 000004
【図３】
2006047453.tif 000005
【図４】
2006047453.tif 000006
【図５】
2006047453.tif 000007
【図６】
2006047453.tif 000008